【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
第１のフレームレートの第１の動画像データの各フレームの画像データにフレーム毎に独立した混合割合で周辺のフレームの画像データを混合する処理を施して上記第１のフレームレートの第２の動画像データを得る処理部を備え、
上記第２の動画像データを構成する各フレームの画像データのうち少なくとも上記第１のフレームレートより低い第２のフレームレートに対応したフレームの画像データは周辺フレームの画像データと混合された状態とされ、
上記第２のフレームレートに対応したフレームの画像データを符号化して基本ストリームを得ると共に、残りのフレームの画像データを符号化して拡張ストリームを得る符号化部と、
上記基本ストリームおよび上記拡張ストリームにそれぞれのフレームの画像データに関連付けて対応するフレームの上記混合割合の情報を挿入する挿入部と、
上記混合割合の情報が挿入された上記基本ストリームおよび上記拡張ストリームを含むコンテナを送信する送信部をさらに備える
送信装置。
【請求項２】
上記基本ストリームおよび上記拡張ストリームはＮＡＬユニット構造を有し、
上記挿入部は、
上記混合割合の情報を持つＳＥＩ  ＮＡＬユニットを、上記基本ストリームおよび上記拡張ストリームに挿入する
請求項１に記載の送信装置。
【請求項３】
上記第１のフレームレートは１２０Ｈｚまたは２４０Ｈｚであり、上記第２のフレームレートは６０Ｈｚである
請求項１または２に記載の送信装置。
【請求項４】
上記混合割合の情報には、混合処理を行ったフィルタの構成情報が付加されている
請求項１から３のいずれかに記載の送信装置。
【請求項５】
上記混合割合の情報には、時間的に前のフレームの画像データは用いない混合リフレッシュまでのフレーム数を示す混合リフレッシュ情報が付加されている
請求項１から４のいずれかに記載の送信装置。
【請求項６】
上記混合割合を示す情報には、上記混合リフレッシュをするフレームであるか否かを示すリフレッシュフラグ情報が付加されている
請求項５に記載の送信装置。
【請求項７】
上記混合割合の情報には、上記第２のフレームレートに対応したフレームであるか否かを示す先頭フラグ情報が付加されている
請求項１から６のいずれかに記載の送信装置。
【請求項８】
処理部が、第１のフレームレートの第１の動画像データの各フレームの画像データにフレーム毎に独立した混合割合で周辺のフレームの画像データを混合する処理を施して上記第１のフレームレートの第２の動画像データを得る処理ステップを有し、
上記第２の動画像データを構成する各フレームの画像データのうち少なくとも上記第１のフレームレートより低い第２のフレームレートに対応したフレームの画像データは周辺フレームの画像データと混合された状態とされ、
挿入部が、上記第２のフレームレートに対応したフレームの画像データを符号化して基本ストリームを得ると共に、残りのフレームの画像データを符号化して拡張ストリームを得る符号化ステップと、
挿入部が、上記基本ストリームおよび上記拡張ストリームにそれぞれのフレームの画像データに関連付けて対応するフレームの上記混合割合の情報を挿入する挿入ステップと、
送信部が、上記混合割合の情報が挿入された上記基本ストリームおよび上記拡張ストリームを含むコンテナを送信する送信ステップをさらに有する
送信方法。
【請求項９】
基本ストリームおよび拡張ストリームを含むコンテナを受信する受信部を備え、
上記基本ストリームは、第１のフレームレートの第１の動画像データの各フレームの画像データにフレーム毎に独立した混合割合で周辺のフレームの画像データを混合する処理を施して得られた上記第１のフレームレートの第２の動画像データを構成する各画像データのうち上記第１のフレームレートより低い第２のフレームレートに対応したフレームの画像データであって少なくとも周辺フレームの画像データと混合された状態にある画像データを符号化して得られたものであり、上記拡張ストリームは、残りのフレームの画像データを符号化して得られたものであり、
上記基本ストリームおよび上記拡張ストリームにそれぞれのフレームの画像データに関連付けて対応するフレームの上記混合割合の情報が挿入されており、
表示能力に応じて、上記基本ストリームを復号化して上記第２のフレームレートの動画像データを得るか、あるいは上記基本ストリームおよび上記拡張フレームを復号化して上記第２の動画像データを得、該第２の動画像データに上記混合割合の情報に基づいて逆混合処理を施して混合解除された第１のフレームレートの動画像データを得る処理部をさらに備える
受信装置。
【請求項１０】
受信部が、基本ストリームおよび拡張ストリームを含むコンテナを受信する受信ステップを有し、
上記基本ストリームは、第１のフレームレートの第１の動画像データの各フレームの画像データにフレーム毎に独立した混合割合で周辺のフレームの画像データを混合する処理を施して得られた上記第１のフレームレートの第２の動画像データを構成する各画像データのうち少なくとも上記第１のフレームレートより低い第２のフレームレートに対応したフレームの画像データであって周辺フレームの画像データと混合された状態とされたにある画像データを符号化して得られたものであり、上記拡張ストリームは、残りのフレームの画像データを符号化して得られたものであり、
上記基本ストリームおよび上記拡張ストリームにそれぞれのフレームの画像データに関連付けて対応するフレームの上記混合割合の情報が挿入されており、
処理部が、表示能力に応じて、上記基本ストリームを復号化して上記第２のフレームレートの動画像データを得るか、あるいは上記基本ストリームおよび上記拡張フレームを復号化して上記第２の動画像データを得、該第２の動画像データに上記混合割合の情報に基づいて逆混合処理を施して混合解除された第１のフレームレートの動画像データを得る処理ステップをさらに有する
受信方法。
【請求項１１】
第１の動画像データの各フレームの画像データにフレーム毎に独立した混合割合で周辺のフレームの画像データを混合する処理を施して得られた第２の動画像データを取得する取得部と、
上記第２の動画像データと、各フレームの混合割合の情報を、伝送路を介して、外部機器に送信する送信部を備える
送信装置。
【請求項１２】
上記混合割合の情報には、次のビデオフレームとの同期が必須であるか否かを示す同期フレーム情報が付加されている
請求項１１に記載の送信装置。
【請求項１３】
上記送信部は、上記各フレームの混合割合の情報をそれぞれ上記第２の動画像データの各フレームの画像データのブランキング期間に挿入して送信する
請求項１１または１２に記載の送信装置。
【請求項１４】
上記第２の動画像データの各フレームの画像データに上記混合割合の情報に基づいて逆混合処理を施して第３の動画像データを得る処理部をさらに備え、
上記送信部は、上記外部機器が上記逆混合処理の機能を持っていないとき、上記第２の動画像データの代わりに、上記第３の動画像データを送信する
請求項１１から１３のいずれかに記載の送信装置。
【請求項１５】
上記第２の動画像データは第１のフレームレートの動画像データであり、
上記第２の動画像データを構成する各フレームの画像データのうち少なくとも上記第１のフレームレートより低い第２のフレームレートに対応したフレームの画像データは周辺フレームの画像データと混合された状態にあり、
上記送信部は、上記外部機器の表示可能なフレームレートが上記第２のフレームレートであるとき、上記第２の動画像データの代わりに、上記第２のフレームレートに対応したフレームの画像データからなる第４の動画像データを送信する
請求項１１から１４のいずれかに記載の送信装置。
【請求項１６】
取得部が、第１の動画像データの各フレームの画像データにフレーム毎に独立した混合割合で周辺のフレームの画像データを混合する処理を施して得られた第２の動画像データを取得する取得ステップと、
送信部が、上記第２の動画像データと、各フレームの混合割合の情報を、伝送路を介して、外部機器に送信する送信ステップを有する
送信方法。
【請求項１７】
外部機器から、伝送路を介して、第１の動画像データの各フレームの画像データにフレーム毎に独立した混合割合で周辺のフレームの画像データを混合する処理を施して得られた第２の動画像データと、各フレームの混合割合の情報を受信する受信部と、
上記第２の動画像データの各フレームの画像データに上記混合割合の情報に基づいて逆混合処理を施して混合解除された動画像データを得る処理部を備える
受信装置。
【請求項１８】
受信部が、外部機器から、伝送路を介して、第１の動画像データの各フレームの画像データにフレーム毎に独立した混合割合で周辺のフレームの画像データを混合する処理を施して得られた第２の動画像データと、各フレームの混合割合の情報を受信する受信ステップと、
処理部が、上記第２の動画像データの各フレームの画像データに上記混合割合の情報に基づいて逆混合処理を施して混合解除された動画像データを得る処理ステップを有する
受信方法。